(57)【要約】【課題】複数の鏡筒の光軸のずれを抑制可能な撮像装置を提供する。【解決手段】デジタルカメラ１００は、鏡筒連結板金８１０と、フレームユニット８２と、第１及び第２鏡筒８１１，８１２と、を備える。フレームユニット８２は、鏡筒連結板金８１０に連結される第１乃至第３ボス８２１〜８２３を有する。第１及び第２鏡筒８１１，８１２は、鏡筒連結板金８１０とフレームユニット８２との間に配置される。第１乃至第３ボス８２１〜８２３それぞれは、第１鏡筒８１１の外周に配置されている。【選択図】図７
2013120262.tif 000002
【特許請求の範囲】
【請求項１】
板状部材と、
前記板状部材に連結される第１乃至第３連結部を有するフレームと、
前記板状部材と前記フレームとの間に配置される第１及び第２鏡筒と、
を備え、
前記第１乃至第３連結部それぞれは、前記第１鏡筒の外周に配置される、
撮像装置。
【請求項２】
前記フレームは、所定の方向に沿って延びており、
前記第１鏡筒は、前記所定の方向において、前記第２鏡筒よりも前記フレームの中央に近い、
請求項１に記載の撮像装置。
【請求項３】
前記第１及び第２連結部は、前記第１及び第２鏡筒の間に配置され、
前記第３連結部は、前記第１鏡筒を挟んで前記第１及び第２連結部の反対側に配置される、
請求項１又は２に記載の撮像装置。
【請求項４】
前記板状部材は、前記第２鏡筒側の端部から外側に突出し、前記フレームに係止される係止部を有する、
請求項３に記載の撮像装置。
【請求項５】
前記板状部材は、ビスが挿通される挿通孔と、前記第１鏡筒に向かって突出する２つの凸部と、を有し、
前記第１鏡筒は、前記２つの凸部に当接されるとともに、前記ビスによって前記板状部材に連結される、
請求項１乃至４のいずれかに記載の撮像装置。
【発明の詳細な説明】
【技術分野】
【０００１】
本発明は、複数の鏡筒を備える撮像装置に関する。
【背景技術】
【０００２】
特許文献１では、２つの鏡筒を支持する板状部材と、板状部材を支持する基部と、によって構成される支持構造体において、板状部材の両端部を基部に連結する手法が提案されている（特許文献１参照）。
【先行技術文献】
【特許文献】
【０００３】
【特許文献１】特開２００３−３３５１８０号公報
【発明の概要】
【発明が解決しようとする課題】
【０００４】
しかしながら、特許文献１の手法では、板状部材の両端部が基部に連結されているので、板状部材を基部に固定する際に板状部材全体が歪むことによって、２つの鏡筒それぞれの光軸がずれるおそれがある。
本発明は、上述の状況に鑑みてなされたものであり、複数の鏡筒の光軸のずれを抑制可能な撮像装置を提供することを目的とする。
【課題を解決するための手段】
【０００５】
本発明に係る撮像装置は、板状部材と、前記板状部材に連結される第１乃至第３連結部を有するフレームと、前記板状部材と前記フレームとの間に配置される第１及び第２鏡筒と、を備える。前記第１乃至第３連結部それぞれは、前記第１鏡筒の外周に配置される。
【発明の効果】
【０００６】
本発明によれば、複数の鏡筒の光軸のずれを抑制可能な撮像装置を提供する。
【図面の簡単な説明】
【０００７】
【図１】実施形態に係るデジタルカメラの斜視図
【図２】実施形態に係るデジタルカメラの正面図
【図３】実施形態に係るデジタルカメラの分解斜視図
【図４】実施形態に係るフレームアッセンブリの分解斜視図
【図５】実施形態に係るフレームアッセンブリの分解斜視図
【図６】実施形態に係るフレームユニットの斜視図
【図７】実施形態に係る鏡筒ユニットの斜視図
【図８】実地形態に係る鏡筒ユニットの分解斜視図
【図９】実施形態に係る鏡筒ユニットの分解斜視図
【図１０】図９のＡ−Ａ断面図
【図１１】実施形態に係るフレームアッセンブリの後面図
【発明を実施するための形態】
【０００８】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
なお、以下の実施形態では、撮像装置としてデジタルカメラを例に挙げて説明する。以下の説明では、通常姿勢（以下、横撮り姿勢ともいう）のデジタルカメラを基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。
【０００９】
（デジタルカメラ１００の全体構成）
実施形態に係るデジタルカメラ１００の全体構成について、図面を参照しながら説明する。図１は、実施形態に係るデジタルカメラ１００を前方から見た斜視図である。図２は、実施形態に係るデジタルカメラ１００を後方から見た斜視図である。図３は、実施形態に係るデジタルカメラ１００の分解斜視図である。
デジタルカメラ１００は、前板１０（「板状部材」の一例）と、後板２０と、上板３０と、側板４０と、スライドカバー６０と、モニタ２５と、フレームプレート７０と、フレームアッセンブリ８０を備える。前板１０、後板２０、上板３０、側板４０は、筐体を構成する。
前板１０は、筐体の前側のパネルを構成する。後板２０は、筐体の後側のパネルを構成する。上板３０は、筐体の上側のパネルを構成する。側板４０は、筐体の左側面のパネルを構成する。なお、筐体の右側面は、図３に示すように、前板１０の右端部および後板２０の右端部が湾曲して回り込むことにより構成されている。スライドカバー６０は、上下方向に沿ってスライド可能に前板１０に取り付けられる。スライドカバー６０は、上方にスライドされることで閉状態となり、下方にスライドされることで開状態となる。モニタ２５は、後板２０の内側に固定される。フレームプレート７０は、モニタ２５を支持する。フレームアッセンブリ８０は、前板１０とフレームプレート７０の間に配置される。フレームアッセンブリ８０は、スライドカバー６０が閉状態の場合にスライドカバー６０によって覆われ、スライドカバー６０が開状態の場合にスライドカバー６０から露出する。フレームアッセンブリ８０の構成については後述する。
【００１０】
（フレームアッセンブリ８０の構成）
実施形態に係るフレームアッセンブリ８０の構成について、図面を参照しながら説明する。図４は、実施形態に係るフレームアッセンブリ８０を後方から見た分解斜視図である。図５は、実施形態に係るフレームアッセンブリ８０を前方からみた分解斜視図である。
フレームアッセンブリ８０は、鏡筒ユニット８１と、フレームユニット８２と、基板ユニット８３と、を有する。
鏡筒ユニット８１は、フレームユニット８２と基板ユニット８３の間に配置される。鏡筒ユニット８１は、鏡筒ユニット８１の前方に配置されるフレームユニット８２に固定されている。鏡筒ユニット８１とフレームユニット８２との固定方法については後述する。
フレームユニット８２は、左右方向（所定方向の一例）に延びる長方形の板部材である。フレームユニット８２は、鏡筒ユニット８１を挟み込むように、鏡筒連結板金８１０に連結されている。
【００１１】
基板ユニット８３は、鏡筒ユニット８１の後方に配置される。基板ユニット８３は、フレームプレート７０と対向する基板ユニット後面８３Ｓ１と、基板ユニット後面８３Ｓ１の反対に設けられる基板ユニット前面８３Ｓ２と、を有する。基板ユニット後面８３Ｓ１には、図４に示すように、鏡筒コネクター８３１と、鏡筒コネクター８３４と、撮像素子コネクター８３２と、撮像素子コネクター８３５とが配置される。基板ユニット前面８３Ｓ２には、図５に示すように、集積回路８３６が配置される。各コネクターと集積回路８３６との配置関係については後述する。
（フレームユニット８２の構成）
実施形態に係るフレームユニットの構成について、図面を参照しながら説明する。図６は、実施形態に係るフレームユニット８２の斜視図である。
【００１２】
フレームユニット８２は、前板８２０と、第１ボス８２１と、第２ボス８２２と、第３ボス８２３と、側板８２４と、を備える。
前板８２０は、前板１０（図３参照）と対向するように配置される。前板８２０の内面には、鏡筒ユニット８１（図４参照）側に突出する第１ボスピン８２０ａ、第２ボスピン８２０b、第３ボスピン８２０ｃ及び第４ボスピン８２０ｄを有する。第１ボスピン８２０a、第２ボスピン８２０b、第３ボスピン８２０ｃ及び第４ボスピン８２０ｄの先端面は、前板８２０に平行かつ互いに同じ位置に設けられる。第１ボスピン８２０a、第２ボスピン８２０ｂ、第３ボスピン８２０ｃ及び第４ボスピン８２０ｄのそれぞれは、鏡筒ユニット８１から所定間隔で離間している。
第１乃至第３ボス８２１〜８２３は、鏡筒ユニット８１をビス固定するためのボスである。第１ボス８２１は、第１ビス穴８２１ａを有する。第２ボス８２２は、第２ビス穴８２２ａを有する。第３ボス８２３は、第３ビス穴８２３ａを有する。第１乃至第３ボス８２１〜８２３は、後述する第１鏡筒８１１（図７参照）の外周にバランス良く配置されている。具体的には、第１及び第２ボス８２１，８２２は、第１及び第２鏡筒８１１，８１２の間に配置され、第３ボス８２３は、第１鏡筒８１１を挟んで第１及び第２ボス８２１，８２２の反対側に配置されている。なお、後述するように、第１乃至第３ボス８２１〜８２３には、第１乃至第３ビス９０ａ〜９０ｃ（図７参照）が挿入される。
【００１３】
側板８２４は、前板８２０の左端に立設される。側板８２４は、鏡筒ユニット８１の左側面を覆う。側板８２４は、第１スリット穴８２４ａと第２スリット穴８２４ｂとを有する。第１スリット穴８２４ａには、後述する鏡筒ユニット８１の第１爪８１０ｄ（図７参照）が挿入される。第１スリット穴８２４ａと第１爪８１０ｄとの間には、ある程度の隙間が設けられる。第２スリット穴８２４ｂは、鏡筒ユニット８１の第２爪８１０ｅ（図７参照）が挿入される。第２スリット穴８２４ｂと第２爪８１０ｅとの間には、ある程度の隙間が設けられる。
（鏡筒ユニット８１の構成）
実施形態に係る鏡筒ユニット８１の構成について、図面を参照しながら説明する。図７は、実態形態に係る鏡筒ユニット８１の斜視図である。図８は、実施形態に係る鏡筒ユニット８１を前方から見た分解斜視図である。図９は、実施形態に係る鏡筒ユニット８１を後方から見た分解斜視図である。
【００１４】
レンズユニット８１は、第１鏡筒８１１と、第２鏡筒８１２と、鏡筒連結板金８１０と、を有する。
図９に示すように、第１鏡筒８１１は第１鏡筒裏面８１１ｓを有し、第２鏡筒８１２は第２鏡筒裏面８１２ｓを有する。図８に示すように、第１鏡筒裏面８１１ｓ及び第２鏡筒裏面８１２ｓは、鏡筒連結板金８１０の連結板金前面８１０ｓと対向するように配置される。
図８に示すように、第１鏡筒８１１と第２鏡筒８１２とは、第１レンズ部８１１ａと第２レンズ部８１２ａを前方に向けた状態で互いに隣接して並べられる。第１鏡筒８１１は、左右方向において、第２鏡筒８１２よりもフレームユニット８２の中央に近い位置に配置されている。第１鏡筒８１１は、第１鏡筒フレキ２００と第１撮像素子フレキ２１０とを有する。第２鏡筒８１２は、第２鏡筒フレキ２２０と第２撮像素子フレキ２３０とを有する。
【００１５】
鏡筒連結板金８１０は、第１鏡筒８１１及び第２鏡筒８１２と基板ユニット８３との間に配置される。鏡筒連結板金８１０は、位置的な精度を出しやすくするために板状に形成されている。
鏡筒連結板金８１０は、図８に示すように、連結板金前面８１０ｓと、第１穴８１０ａと、第２穴８１０ｂと、第３穴８１０ｃと、第１爪８１０ｄと、第２爪８１０ｅと、第１ビス穴部８１０ｆと、第２ビス穴部８１０ｇと、第１位置決め用ボス８１０ｈと第２位置決め用８１０ｉと、第１当接ボスＴ１と、第２当接ボスＴ２と、第３当接ボスＴ３と、第４当接ボスＴ４と、第５当接ボスＴ５と、第６当接ボスＴ６と、第７当接ボスＴ７と、第８当接ボスＴ８と、を有する。なお、第１当接ボスＴ１及び第２当接ボスＴ２は、第１鏡筒８１１に向かって突出する２つの凸部の一例であり、第３当接ボスＴ３及び第４当接ボスＴ４は、第２鏡筒８１２に向かって突出する２つの凸部の一例である。
【００１６】
鏡筒連結板金８１０は、第１乃至第３穴８１０ａ〜８１０ｃに挿通される第１乃至第３ビス９０ａ〜９０ｃによって、フレームユニット８２にビス固定される。第１乃至第３ビス９０ａ〜９０ｃは、フレームユニット８２の第１乃至第３ボス８２３a〜８２３ｃに挿入される。
鏡筒連結板金８１０は、第１乃至第３穴８１０ａ〜８１０ｃの内側に形成される三角形領域において平面精度が管理されている。第１爪８１０ｄ及び第２爪８１０ｅそれぞれは、フレームユニット８２の第１スリット穴８２４ａ及び第２スリット穴８２４ｂに隙間を空けて挿入される。そのため、落下衝撃が加わった際に、第１爪８１０ｄ及び第２爪８１０ｅそれぞれが第１スリット穴８２４ａ及び第２スリット穴８２４ｂの内周面に当接することによって、第２鏡筒８１２がフレームユニット８２に当接しない様に規制できる。
【００１７】
第１鏡筒フレキ２００と第２鏡筒フレキ２２０は、第１鏡筒８１１及び第２鏡筒８１２と鏡筒連結板金８１０との間に構成される。第１鏡筒フレキ２００と第２鏡筒フレキ２２０は、第１鏡筒８１１及び第２鏡筒８１２を制御するための信号を伝達する。第１撮像素子フレキ２１０と第２撮像素子フレキ２３０は、第１鏡筒８１１及び第２鏡筒８１２と鏡筒連結板金８１０との間に構成される。第１撮像素子フレキ２１０と第２撮像素子フレキ２３０は、撮像素子８３６からの信号を伝達する。
第１鏡筒８１１は、図８に示すように、第１レンズ部８１１ａと、第１撮像素子８１１ｂと、第１前側当接面８１１ｃと、第２前側当接面８１１ｄと、を有する。また、第１鏡筒８１１は、図９に示すように、第１ビス穴８１１ｅと、第１位置決め用穴８１１ｆと、第１裏面８１１Ｓと、第１後側当接面Ｒ１と、第２後側当接面Ｒ２と、第３後側当接面Ｒ５と、第４後側当接面Ｒ６と、を有する。
【００１８】
第１レンズ部８１１ａは、第１鏡筒８１１の上部前方に配置される透明な部材である。第１撮像素子８１１ｂは、第１鏡筒８１１の底部に配置される。第１撮像素子８１１ｂの前端は、第１鏡筒８１１の前方に突出している。第１前側当接面８１１ｃ及び第２前側当接面８１１ｄは、第１鏡筒８１１の下端部前面両側に配置される。第１前側当接面８１１ｃ及び第２前側当接面８１１ｄは、フレームユニット８２の第１ボスピン８２０a及び第２ボスピン８２０ｂと所定間隔を空けて対向している。そのため、落下衝撃が加わった際に第１前側当接面８１１ｃ及び第２前側当接面８１１ｄが第１ボスピン８２０ａ及び第２ボスピン８２０ｂに当接することによって、撮像素子８１１ｂが前板１０に当接することを防ぐことができる。
第１ビス穴８１１ｅと、第１位置決め用穴８１１ｆと、第１後側当接部Ｒ１と、第２後側当接部Ｒ２とは、鏡筒裏面８１１ｓに形成される。第１位置決め用穴８１１ｆに鏡筒連結板金８１０の第１位置決め用ボス８１０ｈが挿入された状態で第１ビス穴８１１ｅに第１ビス９５ａが締め付けられることによって、第１及び第２後側当接面Ｒ１,Ｒ２に鏡筒連結板金８１０の第１及び第２当接ボスＴ１,Ｔ２が当接された状態で鏡筒連結板金８１０に第１鏡筒８１１が固定される。
【００１９】
ここで、図１０は、図９のＡ−Ａ切断面である。図１０に示されるように、第１鏡筒８１１は、第１ビス穴８１１ｅが形成される後端面８１１ｅＳを有する。後端面８１１ｅＳは、第１後側当接面Ｒ１に対して傾斜している。具体的には、後端面８１１ｅＳは、第１後側当接面Ｒ１に近いほど深く切り欠かれている。そのため、第１ビス穴８１１ｅに第１ビス９５ａを締め入れることによって、鏡筒連結板金８１０の第１当接ボスＴ１に第１後側当接面Ｒ１を密着させることができる。なお、図示しないが、後端面８１１ｅＳは、第１後側当接面Ｒ１に平行な第２後側当接面Ｒ２に対しても傾斜している。
第３後側当接部Ｒ５及び第４後側当接部Ｒ６は、第１鏡筒８１１の第１裏面８１１Ｓの下部両側に配置される。第３後側当接部Ｒ５及び第４後側当接部Ｒ６は、鏡筒連結板金８１０の第５当接ボスＴ５及び第６当接ボスＴ６から離間して配置されており、落下衝撃が加わった際に第５当接ボスＴ５及び第６当接ボスＴ６に当接することによって、第１撮像素子８１１ｂが鏡筒連結板金８１０と当接することを防ぐことができる。
【００２０】
第２鏡筒８１２は、図８に示すように、第２レンズ部８１２ａと、第２撮像素子８１２ｂと、第３前側当接面８１２ｃと、第４前側当接面８１２ｄと、を有する。また、第２鏡筒８１２は、図９に示すように、第２ビス穴８１２ｅと、第２位置決め用穴８１２ｆと、第２裏面８１２Ｓと、第２後側当接面Ｒ３と、第２後側当接面Ｒ４と、第３後側当接面Ｒ７と、第４後側当接面Ｒ８と、を有する。
第２レンズ部８１２ａは、第２鏡筒８１２の上部前方に配置される透明な部材である。第２撮像素子８１２ｂは、第２鏡筒８１２の底部に配置される。第２撮像素子８１２ｂの前端は、第２鏡筒８１２の前方に突出している。第２前側当接面８１２ｃ及び第２前側当接面８１２ｄは、第２鏡筒８１２の下端部前面両側に配置される。第３前側当接面８１２ｃ及び第４前側当接面８１２ｄは、フレームユニット８２の第３ボスピン８２０ｃ及び第４ボスピン８２０ｄと所定間隔を空けて対向している。そのため、落下衝撃が加わった際に第３前側当接面８１２ｃ及び第４前側当接面８１２ｄが第３ボスピン８２０ｃ及び第４ボスピン８２０ｄに当接することによって、撮像素子８１２ｂが前板１０に当接することを防ぐことができる。
【００２１】
第２ビス穴８１２ｅと、第２位置決め穴８１２ｆと、第１後側当接部Ｒ３と、第２後側当接部Ｒ４とは、鏡筒裏面８１２ｓに形成される。第１位置決め用穴８１２ｆに鏡筒連結板金８１０の第２位置決め用ボス８１０ｉが挿入された状態で第２ビス穴８１２ｅに第２ビス９５ｂが締め付けられることによって、第１及び第２後側当接面Ｒ３,Ｒ４に鏡筒連結板金８１０の第３及び第４当接ボスＴ３,Ｔ４が当接された状態で鏡筒連結板金８１０に第２鏡筒８１２が固定される。
なお、図示しないが、第２ビス穴８１２ｅが形成される後端面は、第１及び第２後側当接面Ｒ３,Ｒ４に近いほど深く切り欠かれており、第１及び第２後側当接面Ｒ３,Ｒ４に対して傾斜している。そのため、第２ビス穴８１２ｅに第２ビス９５ｂを締め入れることによって、鏡筒連結板金８１０の第３及び第４当接ボスＴ３,T４に第１及び第２後側当接面Ｒ３,Ｒ４を密着させることができる。
【００２２】
第３後側当接部Ｒ７及び第４後側当接部Ｒ８は、第２鏡筒８１２の第２裏面８１２Ｓの下部両側に配置される。第３後側当接部Ｒ７及び第４後側当接部Ｒ８は、鏡筒連結板金８１０の第７当接ボスＴ７及び第８当接ボスＴ８から離間して配置されており、落下衝撃が加わった際に第７当接ボスＴ７及び第８当接ボスＴ８に当接することによって、第２撮像素子８１２ｂが鏡筒連結板金８１０と当接することを防ぐことができる。
（集積回路８３６の配置位置）
集積回路８３６の配置位置について、図面を参照しながら説明する。図１１は、実施形態に係るフレームアッセンブリ８０を後方から見た透視図である。
基板ユニット８３は、基板ユニット後面８３Ｓ１に配置された第１鏡筒コネクター８３１と、第２鏡筒コネクター８３４と、第１撮像素子コネクター８３２と、第２撮像素子コネクター８３５と、を有する。また、基板ユニット８３は、基板ユニット前面８３Ｓ２に配置された集積回路８３６を有する。
【００２３】
第１鏡筒コネクター８３１と第２鏡筒コネクター８３４は、基板ユニット後面８３Ｓ１の上端部において、左右方向に沿って並べられている。第１撮像素子コネクター８３２と第２撮像素子コネクター８３５は、基板ユニット後面８３Ｓ１の中央部において、左右方向に沿って並べらされている。
第１鏡筒フレキ２００の先端が第１鏡筒コネクター８３１に差し込まれることによって、第１鏡筒８１１に内蔵される機器（例えば、各種アクチュエータなど）と集積回路８３６とが電気的に接続される。同様に、第２鏡筒フレキ２２０の先端が第２鏡筒コネクター８３４に差し込まれることによって、第２鏡筒８１２に内蔵される機器と集積回路８３６とが電気的に接続される。また、第１撮像素子フレキ２１０の先端が第１撮像素子コネクター８３２に差し込まれることによって、第１鏡筒８１１の第１撮像素子８１１ｂと集積回路８３６とが電気的に接続される。同様に、第２撮像素子フレキ２３０の先端が第２撮像素子コネクター８３４に差し込まれることによって、第２鏡筒８１２の第２撮像素子８１２ｂと集積回路８３６とが電気的に接続される。
【００２４】
ここで、集積回路８３６は、図１１に示すように、第１鏡筒コネクター８３１と第２鏡筒コネクター８３４と第１撮像素子コネクター８３２と第２撮像素子コネクター８３５とによって取り囲まれている。すなわち、４つのコネクターは集積回路８３６と前後方向において重なることなく、集積回路８３６の外周にバランス良く配置されている。また、４つのコネクターそれぞれと集積回路８３６との間隔は、おおよそ同程度に設計されている。
また、集積回路８３６は、鏡筒ユニット８１と基板ユニット８３との間に挟まれている。また、集積回路８３６は、鏡筒ユニット８１の鏡筒連結板金８１０と所定の間隔を空けて近接している。
（作用及び効果）
（１）本実施形態に係るデジタルカメラ１００は、鏡筒連結板金８１０と、フレームユニット８２と、第１及び第２鏡筒８１１，８１２と、を備える。フレームユニット８２は、鏡筒連結板金８１０に連結される第１乃至第３ボス８２１〜８２３を有する。第１及び第２鏡筒８１１，８１２は、鏡筒連結板金８１０とフレームユニット８２との間に配置される。第１乃至第３ボス８２１〜８２３それぞれは、第１鏡筒８１１の外周に配置されている。
【００２５】
このように、第１乃至第３ボス８２１〜８２３が、第１鏡筒８１１の外周に配置されているので、第１乃至第３ボス８２１〜８２３を第１及び第２鏡筒８１１，８１２の外周に配置する場合、すなわち、第１乃至第３ボス８２１〜８２３を鏡筒連結板金８１０の外縁に配置する場合に比べて、鏡筒連結板金８１０をフレームユニット８２に連結した際に鏡筒連結板金８１０の全体に発生する歪みを低減できる。従って、第１及び第２鏡筒８１１，８１２それぞれの光軸がずれることを抑制できる。
（２）フレームユニット８２は、所定の方向に沿って延びている。第１鏡筒８１１は、所定の方向において、第２鏡筒８１２よりもフレームユニット８２の中央に近い位置に配置されている。
このように、第１乃至第３ボス８２１〜８２３が、フレームユニット８２の内側に配置されているので、第１乃至第３ボス８２１〜８２３をフレームユニット８２の外縁に配置する場合に比べて、デジタルカメラ１００に加わる衝撃力が鏡筒連結板金８１０にダイレクトに伝達されることを抑制できる。
【００２６】
（３）第１及び第２ボス８２１，８２２は、第１及び第２鏡筒８１１，８１２の間に配置され、第３ボス８２３は、第１鏡筒８１１を挟んで第１及び第２ボス８２１，８２２の反対側に配置される。
このように、２つのボスで鏡筒連結板金８１０の中央を支持できるので、２つのボスで鏡筒連結板金８１０の中央を支持する場合に比べて、鏡筒連結板金８１０をバランスよく支持できる。
（４）鏡筒連結板金８１０は、第２鏡筒８１２側の端部から外側に突出する第１及び第２爪８１０ｄ，８１０ｅを有する。
従って、デジタルカメラ１００に加わる衝撃力が鏡筒連結板金８１０にダイレクトに伝達されることを抑制できる。
【００２７】
（５）第１鏡筒コネクター８３１、第２鏡筒コネクター８３４、第１撮像素子コネクター８３２および第２撮像素子コネクター８３５は、図１１に示すように、集積回路８３６を取り囲むように配置されている。
従って、第１鏡筒コネクター８３１および第２鏡筒コネクター８３４の各々から集積回路８３６への配線が容易となる。また、第１撮像素子コネクター８３２および第２撮像素子コネクター８３５の各々から集積回路８３６への配線長を略等長にすることができる。このため、各撮像素子から集積回路８３６への信号品質の確保が容易となる。
（６）集積回路８３６は、鏡筒ユニット８１と基板ユニット８３との間に挟まれており、鏡筒連結板金８１０に近接している。
従って、集積回路８３６から発生する熱（輻射熱を含む）を鏡筒連結板金８１０に効率的に伝達させることによって、集積回路８３６の放熱を促進させることができる。
【００２８】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
（Ａ）上記実施形態では、デジタルカメラ１００が２つの鏡筒を有する場合について説明したが、これに限られるものではない。デジタルカメラ１００は、３つ以上の鏡筒を有していてもよい。
（Ｂ）上記実施形態では、第１及び第２ボス８２１，８２２は、第１及び第２鏡筒８１１，８１２の間に配置され、第３ボス８２３は、第１鏡筒８１１を挟んで第１及び第２ボス８２１，８２２の反対側に配置されることとしたが、これに限られるものではない。１つのボスが第１及び第２鏡筒８１１，８１２の間に配置され、２つのボスが第２鏡筒８１２の反対側に配置されることとしてもよい。
【００２９】
（Ｃ）上記実施形態では、「撮像装置」の一例としてデジタルカメラ１００を挙げて説明したが、これに限られるものではない。「撮像装置」としては、ビデオカメラ、携帯電話、ＩＣレコーダーなどが挙げられる。
このように、本発明はここでは記載していない様々な実施形態等を含むことは勿論である。従って、本発明の技術的範囲は上記の説明から妥当な特許請求の範囲に係る発明特定事項によってのみ定められるものである。
【産業上の利用可能性】
【００３０】
本発明によれば、機器本体の小型化が容易な電子機器及び撮像装置を提供することができるので、電子機器分野に利用可能である。
【符号の説明】
【００３１】
１０  前板
２０  後板
２５  モニタ
３０  上板
４０  側板
６０  スライドカバー
７０  フレームプレート
８０  フレームアッセンブリ
８１  鏡筒ユニット
８２  フレームユニット
８３  基板ユニット
８１０  鏡筒連結板金
８１１  鏡筒
８１２  鏡筒
【図１】
2013120262.tif 000003
【図２】
2013120262.tif 000004
【図３】
2013120262.tif 000005
【図４】
2013120262.tif 000006
【図５】
2013120262.tif 000007
【図６】
2013120262.tif 000008
【図７】
2013120262.tif 000009
【図８】
2013120262.tif 000010
【図９】
2013120262.tif 000011
【図１０】
2013120262.tif 000012
【図１１】
2013120262.tif 000013